(57)【要約】【課題】  ブレードを回動させる操作ロッドを操作装置から切り離し、操作装置のみを点検することで、需要家への停電が生じることなく断路器の操作装置を容易に点検することができる。【解決手段】  架台９のベース部２に配置したフィンガー７に、ブレード５を回動させて回路を開閉させる断路器１であり、ベース部２から垂下するように配置した、ブレード５を回動させる操作ロッド８と、操作ロッド８の下方に配置した、操作ロッド８を駆動する操作装置１０とを備えたものである、操作装置１０を点検する際に、操作装置１０から切り離し得るように連結した操作ロッド８を、架台９に着脱自在に取り付ける固定治具１１に、一時的に固定するようになっている。【選択図】  図１
2006351397.tif 000002
【特許請求の範囲】
【請求項１】
架台（９）のベース部（２）に配置したフィンガー（７）に、ブレード（５）を回動させて回路を開閉させる断路器（１）であって、
前記ベース部（２）から垂下するように配置した、前記ブレード（５）を回動させる操作ロッド（８）と、
前記操作ロッド（８）の下方に配置した、該操作ロッド（８）を駆動する操作装置（１０）と、を備え、
前記操作装置（１０）を点検する際に、該操作装置（１０）から切り離し得るように連結した前記操作ロッド（８）を、
前記架台（９）に着脱自在に取り付ける固定治具（１１）に、一時的に固定するように構成した、ことを特徴とする断路器。
【請求項２】
前記操作ロッド（８）の上部を、前記ブレード（５）の回動軸（１２）に取り付けた上部カップリング（１３）に揺動自在に連結し、
該操作ロッド（８）の下部を、前記操作装置（１０）の回動軸（１４）に接続した下部カップリング（１５）に連結した、ことを特徴とする請求項１の断路器。
【請求項３】
前記下部カップリング（１５）は、前記操作ロッド（８）の下部を、前記操作装置（１０）の回動軸（１４）から切り離し自在に構成した、ことを特徴とする請求項２の断路器。
【請求項４】
前記操作装置（１０）の回動軸（１４）は、前記操作ロッド（８）のの下部から切り離し自在に構成した、ことを特徴とする請求項２の断路器。
【請求項５】
前記固定治具（１１）は、前記操作ロッド（８）の一部を挟むように、凹部を形成した挟持部材（１８）を２個向かい合わせに構成したものである、ことを特徴とする請求項１の断路器。
【請求項６】
前記固定治具（１１）は、断面が略円形状の操作ロッド（８）の一部を挟むように、凹部を略半円状に形成した挟持部材（１８）を２個向かい合わせに構成したものである、ことを特徴とする請求項１の断路器。
【請求項７】
前記固定治具（１１）は、凹部を有する挟持部材（１８）を２個向かい合わせにして前記操作ロッド（８）の一部を挟むように、その両端をボルト（１９）で締結したものである、ことを特徴とする請求項１の断路器。
【請求項８】
前記固定治具（１１）は、凹部を有する挟持部材（１８）を２個向かい合わせにして前記操作ロッド（８）の一部を挟むように、その一端をヒンジで展開自在に連結し、他端をボルトで締結したものである、ことを特徴とする請求項１の断路器。
【請求項９】
前記固定治具（１１）を、傾斜スリット（２１）を形成したガイド板（２２）から成る２枚の案内治具（２３）の間に、該固定治具（１１）の各挟持部材（１８）の側面からそれぞれに突出させた突起（２４）を各傾斜スリット（２１）にスライド可能に挿通させる、ことを特徴とする請求項１の断路器。
【請求項１０】
前記案内治具（２３）は、前記架台（９）の近くが高くなるように傾斜スリット（２１）を形成したガイド板（２２）を、該架台（９）の側方へ突出するように２枚並行に該架台（９）に取り付けるものである、ことを特徴とする請求項９の断路器。
【請求項１１】
前記挟持部材（１８）の突起（２４）は、前記傾斜スリット（２１）に挿通させ、ナット（２０）で締結するボルト（１９）である、ことを特徴とする請求項９の断路器。
【請求項１２】
前記案内治具（２３）は、前記架台（９）の近くが高くなると共に、鋸状の多数の凹部（２５）を有する傾斜レール（２６）を形成したガイド板（２２）を、該架台（９）の側方へ突出するように２枚並行に該架台（９）に取り付けるものである、ことを特徴とする請求項９の断路器。
【請求項１３】
前記案内治具（２７）は、長手方向にスリット（２８）を形成したガイド板（２９）を、その中間で折り畳めるようにヒンジ（３０）で連結し、該ガイド板（２９）の固定端（２９ａ）を、架台（９）の側方へ突出するように２枚並行に該架台（９）に取り付けるものである、ことを特徴とする請求項９の断路器。
【請求項１４】
前記ガイド板（２９）の固定端（２９ａ）に、該ガイド板（２９）の揺動端（２９ｂ）を着脱自在に固定する固定金具（３１）を設けた、ことを特徴とする請求項１３の断路器。
【発明の詳細な説明】
【技術分野】
【０００１】
本発明は、発変電所に設置する断路器に係り、特にブレードその他の機器を作動させることなく操作装置のみを点検することができる断路器に関するものである。
【背景技術】
【０００２】
発変電所に設置される断路器は、電気を開閉するスイッチの一種である。この断路器は、しゃ断器のように電流が流れている状態では開閉するものではなく、電流が流れていない状態で開閉するものである。通常、断路器を点検するときは、先ずしゃ断器を開いて電流が流れない状態にしてから、両端の断路器を開路し、回路より切り離された状態で点検を行う。
【０００３】
例えば、水平二点切り断路器では、架台の中央部にブレード支持部を設け、このブレード支持部にブレードを水平方向に回動自在に取り付けたものである。このブレードの両端部に、ブレードの長手方向を中心軸として回動し得るように可動コンタクトを取り付けている。この可動コンタクトと電気的に接続する固定コンタクトを断路器の架台にそれぞれ取り付けている。
【０００４】
このように構成した断路器について、固定コンタクトに可動コンタクトを接触させて閉路にするときは、先ずブレードを、架台に装着した操作装置から上方へ配置した操作ロッドを介して、ブレード支持部を中心点として回動させ、可動コンタクトを固定コンタクトに近づけて接触させる。
【０００５】
このような断路器については、その性能の維持を図るとともに事故の原因となる不良個所を早期に発見できるように定期点検を行っている。この定期点検に際して断路器は「開状態」にして点検を行う。この「開状態」とすることは、送電主回路を断線することであり、需要家にとっては停電を余儀なくされる。
【０００６】
そこで、需要家への停電を減少させるために、母線の停止機会を減少させる断路器が提案されている。例えば、特許文献１の特開平７−２８８９０６「断路器」は、甲母線および乙母線の２重の架空母線にて構成される変電所に設置され、甲母線および乙母線に接続される断路器である。この甲母線に接続される断路部と乙母線に接続される断路部、および２台の断路部と線路側あるいはバンク側の遮断器とを接続する線路における、２本から１本に集束する線路部分を、甲母線、乙母線および線路側あるいはバンク側の遮断器と接続し、一連のタンクに収納したブッシングを９本備えたものである。
【特許文献１】特開平７−２８８９０６
【発明の開示】
【発明が解決しようとする課題】
【０００７】
しかし、この断路器の機能維持に必要な定期点検する期間が延長化されている。その結果、操作ロッドを回動させる操作装置内の駆動機構がグリス等の固化による動作不良で開閉の不具合が発生しやすくなった。そこで、断路器の操作装置を点検する際にも、需要家への停電が余儀なくされるという問題を有していた。
【０００８】
本発明は、上述した問題点を解決するために創案されたものである。すなわち本発明の目的は、ブレードを回動させる操作ロッドを操作装置から切り離し、操作装置のみを点検することで、需要家への停電が生じることなく断路器の操作装置を容易に点検することができる断路器を提供することにある。
【課題を解決するための手段】
【０００９】
本発明によれば、架台（９）のベース部（２）に配置したフィンガー（７）に、ブレード（５）を回動させて回路を開閉させる断路器（１）であって、前記ベース部（２）から垂下するように配置した、前記ブレード（５）を回動させる操作ロッド（８）と、前記操作ロッド（８）の下方に配置した、該操作ロッド（８）を駆動する操作装置（１０）と、を備え、前記操作装置（１０）を点検する際に、該操作装置（１０）から切り離し得るように連結した前記操作ロッド（８）を、前記架台（９）に着脱自在に取り付ける固定治具（１１）に、一時的に固定するように構成した、ことを特徴とする断路器が提供される。
【００１０】
前記操作ロッド（８）の上部を、前記ブレード（５）の回動軸（１２）に取り付けた上部カップリング（１３）に揺動自在に連結し、該操作ロッド（８）の下部を、前記操作装置（１０）の回動軸（１４）に接続した下部カップリング（１５）に連結した。
前記下部カップリング（１５）は、前記操作ロッド（８）の下部を、前記操作装置（１０）の回動軸（１４）から切り離し自在に構成したものである。
前記操作装置（１０）の回動軸（１４）は、前記操作ロッド（８）の下部から切り離し自在に構成することができる。
【００１１】
前記固定治具（１１）は、前記操作ロッド（８）の一部を挟むように、凹部を形成した挟持部材（１８）を２個向かい合わせに構成したものである。
前記固定治具（１１）は、断面が略円形状の操作ロッド（８）の一部を挟むように、凹部を略半円状に形成した挟持部材（１８）を２個向かい合わせに構成したものである。
前記固定治具（１１）は、凹部を有する挟持部材（１８）を２個向かい合わせにして前記操作ロッド（８）の一部を挟むように、その両端をボルト（１９）で締結したものである。
前記固定治具（１１）は、凹部を有する挟持部材（１８）を２個向かい合わせにして前記操作ロッド（８）の一部を挟むように、その一端をヒンジで展開自在に連結し、他端をボルトで締結したものである。
前記固定治具（１１）を、傾斜スリット（２１）を形成したガイド板（２２）から成る２枚の案内治具（２３）の間に、該固定治具（１１）の各挟持部材（１８）の側面からそれぞれに突出させた突起（２４）を各傾斜スリット（２１）にスライド可能に挿通させることができる。
【００１２】
前記案内治具（２３）は、前記架台（９）の近くが高くなるように傾斜スリット（２１）を形成したガイド板（２２）を、該架台（９）の側方へ突出するように２枚並行に該架台（９）に取り付けるものである。
前記挟持部材（１８）の突起（２４）は、前記傾斜スリット（２１）に挿通させ、ナット（２０）で締結するボルト（１９）である。
前記案内治具（２３）は、前記架台（９）の近くが高くなると共に、鋸状の多数の凹部（２５）を有する傾斜レール（２６）を形成したガイド板（２２）を、該架台（９）の側方へ突出するように２枚並行に該架台（９）に取り付けるものである。
【００１３】
前記案内治具（２７）は、長手方向にスリット（２８）を形成したガイド板（２９）を、その中間で折り畳めるようにヒンジ（３０）で連結し、該ガイド板（２９）の固定端（２９ａ）を、架台（９）の側方へ突出するように２枚並行に該架台（９）に取り付けるものである。
前記ガイド板（２８）の固定端（２９ａ）に、該ガイド板（２９）の揺動端（２９ｂ）を着脱自在に固定する固定金具（３１）を設けることが好ましい。
【発明の効果】
【００１４】
本発明では、断路器（１）の操作装置（１０）を点検にするときに、下部カップリング（１５）から操作ロッド（８）を切り離すことにより、操作装置（１０）の点検中に操作ロッド（８）が回動して、ブレード（５）がフィンガー（７）から離れ、または接触するという不具合が生じない。この操作装置（１０）から操作ロッド（８）は上部カップリング（１３）に揺動自在に連結されているので、操作装置（１０）の上方から外れた位置に操作ロッド（８）の下端部分を変位させ、かつその位置で固定治具（１１）で固定することができる。
【００１５】
このように、操作ロッド（８）を操作装置（１０）から切り離し、この操作ロッド（８）を固定治具（１１）で固定することができるので、ブレード（５）が不用意に動作することを阻止でき、需要家への停電等の不具合が生じない。また、案内治具（２３）により操作ロッド（８）の下端部を架台（９）側に寄せ、操作装置（１０）の上方に空間を設けることができるので、この操作装置（１０）の点検又は修理を容易に行うことができる。
【００１６】
前記案内治具（２７）の中間を折り畳めるように構成したものは、固定治具（１１）を変位させた後、操作装置（１０）の上部空間を完全に開けることができるので、その操作装置（１０）の点検又は修理を容易に行うことができる。
【発明を実施するための最良の形態】
【００１７】
本発明の断路器は、ブレードを回動させる操作ロッドと、この操作ロッドを回動させる操作装置と、この操作装置を点検するときに、操作装置から操作ロッドを切り離したときに、操作ロッドを一時的に固定するために、架台に取り付けた固定治具とを備えた。この固定治具により、操作ロッドを操作装置から切り離して点検することができる。
【実施例１】
【００１８】
以下、本発明の好ましい実施の形態を図面を参照して説明する。
図１は本発明の断路器の全体を示す正面図である。
本発明の断路器１、例えば水平二点切断路器は、ベース２の中央部に設けたブレード支持部３に、がいし４を介してブレード５を水平方向に回動自在に取り付け、このブレード５の両端部に、ブレード５の長手方向を回動中心軸として回動し得るように可動コンタクト６を取り付けたものである。また、断路器１のベース２に、可動コンタクト６に電気的に接続する各フィンガー７を取り付けている。
【００１９】
このブレード５は、操作ロッド８に連結され、鉄骨等の架台９に取り付けた操作装置１０でこの操作ロッド８を回動駆動することにより、ブレード５を回動させることができる。本発明の断路器１は、操作装置１０を点検するときに、この操作ロッド８を操作装置１０から切り離したときに、操作ロッド８を一時的に固定するために、架台９に固定治具１１を取り付けている。
【００２０】
図２は実施例１の操作ロッドの拡大正面図である。図３は実施例１の操作ロッドの拡大分解斜視図である。
実施例１の操作ロッド８の上部は、ブレード５の回動軸１２に取り付けた上部カップリング１３に揺動自在に連結し、操作ロッド８の下部は、操作装置１０の回動軸１４に接続した下部カップリング１５に着脱自在になるように連結したものである。上部カップリング１３はいわゆるユニバーサル・ジョイントの構成に成り、操作ロッド８の軸方向に対して首振り自在になっている。同様に、下部カップリング１５もいわゆるユニバーサル・ジョイントの構成になり、操作ロッド８の軸方向に対して首振り自在になっている。なお、上部カップリング１３と下部カップリング１５は何れも首振り自在に動力伝達部材であれば、図示例のようなユニバーサル・ジョイントに限定されない。
【００２１】
更に、下部カップリング１５には、操作ロッド８を容易に切り離すために、ユニバーサル・ジョイントを構成する連結部材１６の一部にピン１７を挿抜自在に取り付ける。この連結は、下部カップリング１５と操作ロッド８との切り離しが容易にできる構造であれば、図示例のようなピン１７止め以外に、ボルト締結その他の構造を採用することができる。
【００２２】
図４は実施例１の固定治具の拡大平面図であり、（ａ）は操作ロッドを固定する前の状態、（ｂ）は操作ロッドを固定した状態である。図５は実施例１の固定治具で操作ロッドを固定した状態の正面図である。
実施例１の固定治具１１は、操作ロッド８の一部を挟むように、凹部を形成した挟持部材１８を２個向かい合わせに構成したものである。これは、断路器１の操作装置１０を点検にするときに、下部カップリング１５から操作ロッド８を切り離し、この操作ロッド８を固定治具１１で、一時的に固定することで、操作ロッド８が不用意に回動して、ブレード５がフィンガー７から離れることを阻止できる。この固定治具１１は例えば架台９側に取り付けておく。
【００２３】
この操作ロッド８は、上部カップリング１３に揺動自在に連結されているので、操作装置１０の上方から外れた位置に操作ロッド８の下端部分を変位させ、かつその位置で固定治具１１を用いて固定することができるので、操作装置１０の点検又は修理を容易に行うことができる。
【００２４】
固定治具１１は、図４に示すように、断面が略円形状の操作ロッド８の一部を挟むように、凹部を略半円状に形成した挟持部材１８を２個向かい合わせに構成したものである。この固定治具１１の両端をボルト１９とナット２０で着脱自在に締結したものである。これにより、操作ロッド８を強固に固定することができるので、操作ロッド８が不用意に回動することを阻止することができる。
【実施例２】
【００２５】
実施例２の固定治具（図示していない）は、凹部を有する挟持部材１８を２個向かい合わせにして操作ロッド８の一部を挟むように、その一端をヒンジで展開自在に連結し、他端をボルトで締結したものである。このように挟持部材の一端にヒンジ（図示していない）を取り付けることで、ボルトの締結作業が半減し、迅速に操作ロッド８を固定することができる。
【実施例３】
【００２６】
図６は実施例３の固定治具と案内治具を示す拡大平面図であり、（ａ）は操作ロッドを固定治具と共に変位させる前の状態、（ｂ）は操作ロッドを固定治具と共に変位させた状態である。図７は実施例３の案内治具を示す側面図である。図８は実施例３の固定治具と案内治具を用いて操作ロッドを変位させた状態を示す側面図である。
実施例３では、固定治具１１を、傾斜スリット２１を形成したガイド板２２から成る２枚の案内治具２３の間に、この固定治具１１の各挟持部材１８の側面からそれぞれに突出させた突起２４を各傾斜スリット２１にスライド可能に挿通させ、ここを固定治具１１が変位するように構成した。案内治具２３は、架台９の近くが高くなるように傾斜スリット２１を形成したガイド板２２を、架台９の側方へ突出するように２枚並行に架台９に取り付けたものである。挟持部材１８の突起２４は、傾斜スリット２１に挿通させ、ナット２０で締結するボルト１９である。そこで、傾斜スリット２１間の固定治具１１の突起２４（ボルト１９）を締結することで、その変位した位置に強固に固定することができる。なお、この傾斜スリット２１の形状は厳密にいうと円弧形状になるが、挟持部材１８の突起２４の外径より余裕を持たせているので、直線的なスリットになっている。
【００２７】
実施例３では、この操作装置１０から切り離した操作ロッド８を、固定治具１１で一時固定するだけではなく、案内治具２３を用いて操作装置１０の上方から外れた位置に操作ロッド８の下端部分を変位させ、かつその位置で固定するようになっている。この案内治具２３により操作装置１０の上部空間に邪魔なものがなくなり、その点検又は修理を容易に行うことができる。
【実施例４】
【００２８】
図９は実施例４の案内治具を示す側面図である。
実施例４の案内治具（図示していない）は、架台９の近くが高くなると共に、鋸状の多数の凹部２５を有する傾斜レール２６を形成したガイド板２２を、架台９の側方へ突出するように２枚並行に架台９に取り付けたものである。このように、傾斜レール２６に多数の凹部２５を有する案内治具であれば、固定治具１１をより迅速に変位させ、かつその位置に固定させることができる。
【実施例５】
【００２９】
図１０は実施例５の案内治具を折り畳む前の状態を示す側面図である。図１１は固定治具を変位させた後に案内治具を折り畳んだ状態を示す側面図である。
実施例５の案内治具２７は、長手方向にスリット２８を形成したガイド板２９を中間で折り畳めるようにヒンジ３０で連結し、ガイド板２９の固定端２９ａを、架台９の側方へ突出するように２枚並行に架台９に取り付けるものである。このように、案内治具を折り畳めるようにすることで、スリット２８間において固定治具１１を変位させ、かつ操作装置１０の上部空間を完全に開けることができるので、その操作装置１０の点検又は修理を容易に行うことができる。
【００３０】
更に、この折り畳んだガイド板２９の揺動端２９ｂは、固定金具３１で固定端２９ａに着脱自在に取り付けることにより、ガイド板２９が不用意に動くことを防止でき、安心して操作装置１０の点検又は修理を容易に行うことができる。
【００３１】
なお、本発明の断路器１は、操作ロッド８を操作装置１０から切り離し、操作ロッド８を一時固定してブレード５が不用意に回動することなく断路器１の操作装置１０を点検することができる構造であれば、上述した発明の実施の形態に限定されず、本発明の要旨を逸脱しない範囲で種々変更できることは勿論である。
【産業上の利用可能性】
【００３２】
本発明の断路器は、主に断路器の操作ロッドを操作装置から切り離して、ブレードが回動することなく操作装置の点検や修理に利用できるが、操作ロッドを有する断路器以外の種々の機器類の点検や修理に利用することができる。
【図面の簡単な説明】
【００３３】
【図１】本発明の断路器の全体を示す正面図である。
【図２】実施例１の操作ロッドの拡大正面図である。
【図３】実施例１の操作ロッドの拡大分解斜視図である。
【図４】実施例１の固定治具の拡大平面図であり、（ａ）は操作ロッドを固定する前の状態、（ｂ）は操作ロッドを固定した状態である。
【図５】実施例１の固定治具で操作ロッドを固定した状態の正面図である。
【図６】実施例３の固定治具と案内治具を示す拡大平面図であり、（ａ）は操作ロッドを固定治具と共に変位させる前の状態、（ｂ）は操作ロッドを固定治具と共に変位させた状態である。
【図７】実施例３の案内治具を示す側面図である。
【図８】実施例３の固定治具と案内治具を用いて操作ロッドを変位させた状態を示す側面図である。
【図９】実施例４の案内治具を示す側面図である。
【図１０】実施例５の案内治具を折り畳む前の状態を示す側面図である。
【図１１】固定治具を変位させた後に案内治具を折り畳んだ状態を示す側面図である。
【符号の説明】
【００３４】
１  断路器
２  ベース部
５  ブレード
７  固定コンタクト
８  操作ロッド
９  架台
１０  操作装置
１１  固定治具
１２  回動軸（ブレード）
１３  上部カップリング
１４  回動軸（操作装置）
１５  下部カップリング
１８  挟持部材
１９  ボルト
２０  ナット
２１  傾斜スリット
２２  ガイド板
２３  案内治具
２４  突起
２５  凹部
２６  傾斜レール
２７  案内治具
２８  スリット
２９  ガイド板
２９ａ  ガイド板の固定端
２９ｂ  ガイド板の揺動端
３０  ヒンジ
３１  固定金具
【図１】
2006351397.tif 000003
【図２】
2006351397.tif 000004
【図３】
2006351397.tif 000005
【図４】
2006351397.tif 000006
【図５】
2006351397.tif 000007
【図６】
2006351397.tif 000008
【図７】
2006351397.tif 000009
【図８】
2006351397.tif 000010
【図９】
2006351397.tif 000011
【図１０】
2006351397.tif 000012
【図１１】
2006351397.tif 000013